(57)【要約】      （修正有）【課題】データ部の送信の信頼性が改善されることができ、長距離送信のカバレッジエリアが保証される拡張範囲モード送信方法および装置を提供する。【解決手段】方法は、拡張範囲ＳＵモード物理層プロトコルデータユニットＰＰＤＵを生成する３１０。拡張範囲ＳＵモードＰＰＤＵにおけるレガシープリアンブル部は、２０ＭＨｚの帯域幅を使用することによって送信され、拡張範囲ＳＵモードＰＰＤＵにおけるデータ部は、狭帯域を使用することによって送信され、狭帯域送信における帯域幅は、２６−ｔｏｎｅ  ＲＵ、５２−ｔｏｎｅ  ＲＵ、１０６−ｔｏｎｅ  ＲＵまたは２４２−ｔｏｎｅ  ＲＵのうちの少なくとも1つのパラメータ含む。そして、拡張範囲モードＰＰＤＵを送信する３２０。【選択図】図３
2020115643.tif 000002
【特許請求の範囲】
【請求項１】
無線ローカルエリアネットワークWLANに適用される、拡張範囲モード送信方法であって、前記方法は、
拡張範囲モード物理層プロトコルデータユニットPPDUを生成するステップであって、前記拡張範囲モードPPDUにおけるレガシープリアンブル部は、20 MHzの帯域幅を使用することによって送信され、前記拡張範囲モードPPDUにおけるデータ部は、狭帯域を使用することによって送信され、前記狭帯域送信における帯域幅は、26-tone RU、52-tone RU、106-tone RUまたは242-tone RUのうちの少なくとも1つのパラメータを含む、ステップと、
前記拡張範囲モードPPDUを送信するステップとを含む方法。
【請求項２】
前記拡張範囲モードPPDUにおける高効率ロングトレーニングフィールドHE-LTFのパワーが3 dB増加する、請求項1に記載の方法。
【請求項３】
前記拡張範囲モードPPDUにおける高効率シグナリングHE-SIGAフィールドは第1の識別子を含み、前記第1の識別子は、高効率ロングトレーニングフィールドHE-LTFのパワーが増加したかどうかを示すために使用される、請求項1に記載の方法。
【請求項４】
前記拡張範囲モードPPDUにおける高効率シグナリングHE-SIGAフィールドは第2の識別子を含み、前記第2の識別子は、前記拡張範囲SUモードPPDUにおける前記データ部に対して前記狭帯域送信が実行されるときに使用される帯域幅を示すために使用される、請求項1に記載の方法。
【請求項５】
前記拡張範囲モードPPDUにおける高効率ショートトレーニングフィールドHE-STFによって使用されるサブキャリアおよび前記高効率ロングトレーニングフィールドHE-LTFによって使用されるサブキャリアが、前記拡張範囲モードPPDUにおける前記データ部によって使用されるサブキャリアと同じである、請求項1乃至4のいずれか1項に記載の方法。
【請求項６】
無線ローカルエリアネットワークWLANに適用される、拡張範囲モード物理層プロトコルデータユニットPPDU送信方法であって、前記方法は、
拡張範囲モード物理層プロトコルデータユニットPPDUを生成するステップであって、前記拡張範囲モードPPDUは、20 MHzの帯域幅を使用することによって送信され、前記PPDUにおけるデータ部は、同じデータを搬送する複数のサブバンドを含み、前記サブバンドの帯域幅は、26-tone RU、52-tone RU、106-tone RUまたは242-tone RUのうちの少なくとも1つのパラメータを含む、ステップと、
前記拡張範囲モードPPDUを送信するステップとを含む方法。
【請求項７】
前記拡張範囲モードPPDUにおける高効率ロングトレーニングフィールドHE-LTFのパワーが3 dB増加する、請求項6に記載の方法。
【請求項８】
前記拡張範囲モードPPDUにおける高効率シグナリングHE-SIGAフィールドは第3の識別子を含み、前記第3の識別子は、パワーが増加したかどうかを示すために使用される、請求項6に記載の方法。
【請求項９】
前記拡張範囲モードPPDUにおける高効率シグナリングHE-SIGAフィールドは第4の識別子を含み、前記第4の識別子は、前記サブバンドの前記帯域幅を示すために使用される、請求項6に記載の方法。
【請求項１０】
前記拡張範囲モードPPDUにおける高効率ショートトレーニングフィールドHE-STFによって使用されるサブキャリアおよび前記高効率ロングトレーニングフィールドHE-LTFによって使用されるサブキャリアが、前記拡張範囲モードPPDUにおける前記データ部によって使用されるサブキャリアと同じである、請求項6乃至9のいずれか1項に記載の方法。
【請求項１１】
無線ローカルエリアネットワークWLANに適用される、拡張範囲モード物理層プロトコルデータユニットPPDU送信装置であって、前記装置は、
拡張範囲モード物理層プロトコルデータユニットPPDUを生成するように構成されるベースバンド回路であって、前記拡張範囲モードPPDUにおけるレガシープリアンブル部は、20 MHzの帯域幅を使用することによって送信され、前記拡張範囲モードPPDUにおけるデータ部は、狭帯域を使用することによって送信され、前記狭帯域送信における帯域幅は、26-tone RU、52-tone RU、106-tone RUまたは242-tone RUのうちの少なくとも1つのパラメータを含む、ベースバンド回路と、
前記拡張範囲モードPPDUを送信するように構成される無線周波数回路とを含む装置。
【請求項１２】
前記拡張範囲モードPPDUにおける高効率ロングトレーニングフィールドHE-LTFのパワーが3 dB増加する、請求項11に記載の装置。
【請求項１３】
前記拡張範囲モードPPDUにおける高効率シグナリングHE-SIGAフィールドは第1の識別子を含み、前記第1の識別子は、高効率ロングトレーニングフィールドHE-LTFのパワーが増加したかどうかを示すために使用される、請求項11に記載の装置。
【請求項１４】
前記拡張範囲モードPPDUにおける高効率シグナリングHE-SIGAフィールドは第2の識別子を含み、前記第2の識別子は、前記拡張範囲モードPPDUにおける前記データ部に対して前記狭帯域送信が実行されるときに使用される帯域幅を示すために使用される、請求項11に記載の装置。
【請求項１５】
前記拡張範囲モードPPDUにおける高効率ショートトレーニングフィールドHE-STFによって使用されるサブキャリアおよび前記高効率ロングトレーニングフィールドHE-LTFによって使用されるサブキャリアが、前記拡張範囲モードPPDUにおける前記データ部によって使用されるサブキャリアと同じである、請求項11乃至14のいずれか1項に記載の装置。
【請求項１６】
無線ローカルエリアネットワークWLANに適用される、拡張範囲モード物理層プロトコルデータユニットPPDU送信装置であって、前記装置は、
拡張範囲モード物理層プロトコルデータユニットPPDUを生成するように構成されるベースバンド回路であって、前記拡張範囲モードPPDUは、20 MHzの帯域幅を使用することによって送信され、前記PPDUにおけるデータ部は、同じデータを搬送する複数のサブバンドを含み、前記サブバンドの帯域幅は、26-tone RU、52-tone RU、106-tone RUまたは242-tone RUのうちの少なくとも1つのパラメータを含む、ベースバンド回路と、
前記拡張範囲モードPPDUを送信するように構成される無線周波数回路とを含む装置。
【請求項１７】
前記拡張範囲モードPPDUにおける高効率ロングトレーニングフィールドHE-LTFのパワーが3 dB増加する、請求項16に記載の装置。
【請求項１８】
前記拡張範囲モードPPDUにおける高効率シグナリングHE-SIGAフィールドは第3の識別子を含み、前記第3の識別子は、パワーが増加したかどうかを示すために使用される、請求項16に記載の装置。
【請求項１９】
前記拡張範囲モードPPDUにおける高効率シグナリングHE-SIGAフィールドは第4の識別子を含み、前記第4の識別子は、前記サブバンドの前記帯域幅を示すために使用される、請求項16に記載の装置。
【請求項２０】
前記拡張範囲モードPPDUにおける高効率ショートトレーニングフィールドHE-STFによって使用されるサブキャリアおよび前記高効率ロングトレーニングフィールドHE-LTFによって使用されるサブキャリアが、前記拡張範囲モードPPDUにおける前記データ部によって使用されるサブキャリアと同じである、請求項16乃至19のいずれか1項に記載の装置。
【発明の詳細な説明】
【技術分野】
【０００１】
本願は、2016年1月7日に中国特許庁に出願された、“EXTENDED RANGE MODE TRANSMISSION METHOD AND APPARATUS”と題する、中国特許出願番号201610011376.1に対して優先権を主張し、その全体が参照によって本明細書に組み込まれる。
【０００２】
本発明は、通信技術の分野に関し、詳細には、拡張範囲モード送信方法および装置に関する。
【背景技術】
【０００３】
直交周波数分割多重（英語：Orthogonal Frequency Division Multiplexing、略してOFDM）技術に基づく既存の無線ローカルエリアネットワーク（英語：Wireless local Area Network、略してWLAN）標準は、802.11a、802.11nおよび802.11ac等の徐々に進化したリリースを含む。現在、電気電子技術者協会（英語：Institute of Electrical and Electronics Engineers、略してIEEE）802.11標準化機構は、HEW（High Efficiency WLAN、高効率無線ローカルエリアネットワーク）と呼ばれる、新世代WLAN標準802.11axの標準化作業を開始した。OFDMA（Orthogonal Frequency Division Multiple Access、直交周波数分割多重接続）技術を導入することによって、802.11axは、集中的なユーザシナリオにおけるWLANの送信性能をさらに改善することができる。
【０００４】
現在、IEEE 11axドラフト標準では、合計で3つのタイプのプリアンブルモードがサポートされている。3つのタイプのプリアンブルモードは、シングルユーザ（SU）/トリガベースドアップリンク（Trigger based UL）モード、マルチユーザ（MU）モードおよび拡張範囲シングルユーザ（Extended range SU、略してEXT SU）モードである。EXT SUモードにおけるプリアンブルが図1に示される。EXT SUモードにおけるプリアンブルは、レガシープリアンブルと高効率プリアンブルHE Preambleの2つの部分を含む。後方互換性を保証するために、802.11ax標準におけるプリアンブルのレガシープリアンブル部は、802.11n/ac標準におけるプリアンブルのレガシープリアンブル部と同じである。高効率プリアンブルHE Preamble部は、反復レガシーシグナリングRL-SIGフィールド、高効率シグナリングAフィールドHE-SIGAフィールド、高効率ショートトレーニングフィールドHE-STFおよび高効率ロングトレーニングフィールドHE-LTFを含む。
EXT SUモードにおけるプリアンブルのL-STF フィールドの送信パワーおよびL-LTFフィールドの送信パワーはいずれも3dB増加する。RL-SIGおよびL-SIGは同じ情報内容を搬送する。EXT SUモードにおけるプリアンブルのHE-SIGAは繰返しモードであり、4個のOFDMシンボルを含む。HE-SIGA1およびHE-SIGA2は同じ情報内容を搬送し、HE-SIGA3およびHE-SIGA4は同じ情報内容を搬送する。
EXT SU送信モードでは、プリアンブルのフィールドの性能は、データ部の性能よりもはるかに良く、すなわち、プリアンブル送信のカバレッジエリアは比較的大きく、データ部送信のカバレッジエリアは、プリアンブル送信のカバレッジエリアよりもはるかに小さい。この場合、長距離送信の間、データパケットのプリアンブル部は正しく受信されることができるが、データパケットのデータ部は正しく受信されることができない可能性は高い。結果として、データパケットの長距離送信は実際に実施されることはできない。
【先行技術文献】
【特許文献】
【０００５】
【特許文献１】国際公開第２０１４／１８２０６５号
【特許文献２】国際公開第２０１５／０６１７２９号
【非特許文献】
【０００６】
【非特許文献１】Robert Stacey，Specification Framework for TGax[online]，IEEE 802.11-15/0132r12，２０１５年１２月  １日，pp.1-37，[検索日:2019.07.22],インターネット<URL:https://mentor.ieee.org/802.11/dcn/15/11-15-0132-12-00ax-spec-framework.docx>
【非特許文献２】Sameer Vermani et al.，Extended Range Support for 11ax[online]，IEEE 802.11-15/1309r1，２０１５年１１月１０日，slides 1-17，[検索日:2019.07.22],インターネット<URL:https://mentor.ieee.org/802.11/dcn/15/11-15-1309-01-00ax-extended-range-support-for-11ax.pptx>
【発明の概要】
【課題を解決するための手段】
【０００７】
このことを鑑みて、本発明は、WLANにおけるデータパケットの長距離送信において、データパケットのデータ部が正しく受信されることができない可能性が高いという既存の課題を解決するために、拡張範囲モード送信方法および装置を提供する。
【０００８】
第1の態様によると、本発明の実施形態は、無線ローカルエリアネットワークWLANに適用される、拡張範囲モード送信方法を提供し、方法は、
拡張範囲モード物理層プロトコルデータユニットPPDUを生成するステップであって、ここで、拡張範囲モードPPDUにおけるレガシープリアンブル部は、20 MHzの帯域幅を使用することによって送信され、拡張範囲モードPPDUにおけるデータ部は、狭帯域を使用することによって送信され、狭帯域送信における帯域幅は、26-tone RU、52-tone RU、106-tone RUまたは242-tone RUのうちの少なくとも1つのパラメータを含む、ステップと、
拡張範囲モードPPDUを送信するステップとを含む。
【０００９】
第2の態様によると、本発明の実施形態は、無線ローカルエリアネットワークWLANに適用される、拡張範囲モード物理層プロトコルデータユニットPPDU送信方法を提供し、方法は、
拡張範囲モード物理層プロトコルデータユニットPPDUを生成するステップであって、ここで、拡張範囲モードPPDUは、20 MHzの帯域幅を使用することによって送信され、PPDUにおけるデータ部は、同じデータを搬送する複数のサブバンドを含み、サブバンドの帯域幅は、26-tone RU、52-tone RU、106-tone RUまたは242-tone RUのうちの少なくとも1つのパラメータを含む、ステップと、
拡張範囲モードPPDUを送信するステップとを含む。
【００１０】
第3の態様によると、本発明の実施形態は、無線ローカルエリアネットワークWLANに適用される、拡張範囲モード物理層プロトコルデータユニットPPDU送信装置を提供し、装置は、
拡張範囲モード物理層プロトコルデータユニットPPDUを生成するように構成されるベースバンド回路であって、ここで、拡張範囲モードPPDUにおけるレガシープリアンブル部は、20 MHzの帯域幅を使用することによって送信され、拡張範囲モードPPDUにおけるデータ部は、狭帯域を使用することによって送信され、狭帯域送信における帯域幅は、26-tone RU、52-tone RU、106-tone RUまたは242-tone RUのうちの少なくとも1つのパラメータを含む、ベースバンド回路と、
拡張範囲モードPPDUを送信するように構成される無線周波数回路とを含む。
【００１１】
第4の態様によると、本発明の実施形態は、無線ローカルエリアネットワークWLANに適用される、拡張範囲モード物理層プロトコルデータユニットPPDU送信装置を提供し、装置は、
拡張範囲モード物理層プロトコルデータユニットPPDUを生成するように構成されるベースバンド回路であって、ここで、拡張範囲モードPPDUは、20 MHzの帯域幅を使用することによって送信され、PPDUにおけるデータ部は、同じデータを搬送する複数のサブバンドを含み、サブバンドの帯域幅は、26-tone RU、52-tone RU、106-tone RUまたは242-tone RUのうちの少なくとも1つのパラメータを含む、ベースバンド回路と、
拡張範囲モードPPDUを送信するように構成される無線周波数回路とを含む。
【００１２】
本発明の実施形態は、新しい拡張範囲モード物理層プロトコルデータユニットPPDUを提供する。拡張範囲モードPPDUのレガシープリアンブル部は、20 MHzの帯域幅を使用することによって送信される。拡張範囲モードPPDUのデータ部は、狭帯域を使用することによって送信され、狭帯域送信における帯域幅は、26-tone RU、52-tone RU、106-tone RUまたは242-tone RUのうちの少なくとも1つのパラメータを含む。拡張範囲モードPPDUのデータ部は、狭帯域を使用することによって送信され、その結果、データ部の送信の信頼性は改善され、EXT SUモードにおけるPPDUの部分の性能はよりバランスがとられ、長距離送信のカバレッジエリアは保証される。
【図面の簡単な説明】
【００１３】
【図１】図1は、既存のWLAN標準におけるExtended Range SUモードのプリアンブルの構成図である。
【図２】図2は、本発明に係る、適用シナリオの図である。
【図３】図3は、本発明の実施形態1に係る、送信方法のフローチャートである。
【図４】図4は、本発明の実施形態1に係る、Extended Range SUモードのプリアンブルの構成図である。
【図５】図5は、本発明に係る、20 MHzの帯域幅におけるRU割当ての図である。
【図６】図6は、本発明の実施形態1に係る、拡張範囲SUモードのプリアンブルの別の構成図である。
【図７】図7は、本発明の実施形態1に係る、Extended Range SUモードのプリアンブルの別の構成図である。
【図８】図8は、本発明の実施形態2に係る、送信方法のフローチャートである。
【図９】図9は、本発明の実施形態2に係る、Extended Range SUモードのプリアンブルの構成図である。
【図１０】図10は、本発明の実施形態2に係る、Extended Range SUモードのプリアンブルの別の構成図である。
【図１１】図11は、本発明の実施形態に係る、無線ローカルエリアネットワークにおける拡張範囲SUモード送信装置の概略ブロック図である。
【図１２】図12は、本発明の実施形態に係る、無線ローカルエリアネットワークにおける拡張範囲SUモード送信装置の概略ブロック図である。
【発明を実施するための形態】
【００１４】
以下では、添付図面を参照して、本発明の具体的な実施形態を詳細にさらに説明する。
【００１５】
本発明の実施形態はWLANに適用されてよい。現在、WLANによって使用される標準は、IEEE802.11シリーズである。WLANは複数の基本サービスセット（英語：Basic Service Set、略してBSS）を含んでよい。基本サービスセット内のネットワークノードは局（英語：Station、略してSTA）である。局はアクセスポイント（略してAP、英語：Access Point）および非アクセスポイント局（英語：Non Access Point Station、略してNon-AP STA）を含む。各基本サービスセットは、APに関連する1つのAPおよび複数のnon-AP STAを含んでよい。
【００１６】
アクセスポイントは、無線アクセスポイント、ホットスポット等とも呼ばれる。APは主に自宅内またはビルおよび公園内に配置される。APの典型的なカバレッジ半径は、数十から数百メートルである。APは、有線ネットワークおよび無線ネットワークを接続するブリッジと同等である。APの主な機能は、無線ネットワーククライアントを互いに接続して、その後、無線ネットワークをイーサネット（登録商標）に接続することである。具体的には、APは、WiFi（英語：Wireless Fidelity、中国語：Wireless Fidelity）チップを有する端末デバイスまたはネットワークデバイスであってよい。APは、802.11ax、802.11ac、802.11n、802.11g、802.11bおよび802.11a等の複数の標準をサポートすることができる。
【００１７】
非アクセスポイント局（英語：Non Access Point Station、略してNon-AP STA）は、無線通信チップ、無線センタまたは無線通信端末であってよい。具体的には、例えば、非アクセスポイント局は、WiFi通信機能をサポートするスマートフォン、タブレットコンピュータまたはパーソナルコンピュータ、WiFi通信機能をサポートするセットトップボックスまたはスマートTV、WiFi通信機能をサポートするスマートウェアラブルデバイス、WiFi通信機能をサポートする車載型通信デバイスまたはWiFi通信機能をサポートするドローンであってよい。局は、802.11ax、802.11ac、802.11n、802.11g、802.11bおよび802.11a等の複数の標準をサポートしてよい。non-AP STAが以下では略してSTAと呼ばれることは留意されるべきである。
【００１８】
図2は、1つのAPおよび4つのSTAを含む、典型的なWLAN配置シナリオの概略システム図である。APはSTA 1からSTA 4と通信する。802.11ファミリーについて、ワークグループTGaxは、OFDMA（英語：Orthogonal Frequency Division Multiple Access、中国語：orthogonal frequency division multiple access）技術およびアップリンクMU-MIMO（英語：multi-user multiple-input multiple-output、中国語：multi-user multiple-input multiple-output）技術を次世代WLAN標準に導入する。前述の技術を使用することによって、同時に異なる周波数リソース上の、または同時に異なる空間フロー上で、STA 1からSTA 4とAPとの間で、データ送信が実行されることができる。
【００１９】
実施形態1
【００２０】
本発明の実施形態1は拡張範囲モード送信方法を提供する。方法は、図2内のAPおよびSTA 1からSTA 4等のアクセスポイントおよび局に適用されてよい。アクセスポイントおよび局は、802.11ax標準等の、次世代WLAN標準をサポートしてよい。図3は、送信方法のフローチャートであり、具体的なステップは以下のとおりである：
【００２１】
ステップ310：拡張範囲モード物理層プロトコルデータユニットPPDUを生成し、ここで、拡張範囲モードPPDUにおけるレガシープリアンブル部は、20 MHzの帯域幅を使用することによって送信され、拡張範囲モードPPDUにおけるデータ部は、狭帯域を使用することによって送信され、狭帯域送信における帯域幅は、26-tone RU、52-tone RU、106-tone RUまたは242-tone RUのうちの少なくとも1つのパラメータを含む。
【００２２】
ステップ320：拡張範囲モードPPDUを送信する。
【００２３】
前述の方法では、PPDUのデータ部は、狭帯域を使用することによって送信される。これは、データ部のパワースペクトル密度を増加させ、データ部の送信の信頼性を改善し、その結果、EXT SUモードにおけるPPDUの部分の性能はよりバランスがとられ、長距離送信のカバレッジエリアは保証される。
【００２４】
具体的には、拡張範囲SUモードPPDUの構成図が図4に示される。拡張範囲モードPPDUにおける高効率ショートトレーニングフィールドHE-STFによって使用されるサブキャリアおよび高効率ロングトレーニングフィールドHE-LTFによって使用されるサブキャリアは、拡張範囲モードPPDUのデータ部によって使用されるサブキャリアと同じである。具体的には、L-STFフィールドから始まってHE-SIGAフィールドまでのフィールドは、20 MHzの帯域幅を使用することによって送信される。HE-STFフィールド、HE-LTFフィールドおよびEXT-SU-DATAフィールドは、狭帯域を使用することによって送信され、同じ狭帯域帯域幅が使用される。任意で、図6に示されるように、狭帯域を使用することによって送信されるPPDUにおけるフィールドは、HE-LTF部から始まってよく、すなわち、HE-STFおよびHE-STF の前の部分は20 MHzの帯域幅を使用することによって全て送信される。
【００２５】
任意で、図7に示されるように、狭帯域を使用することによって送信されるPPDUにおけるフィールドは、EXT-SUデータ部から始まってよく、すなわち、HE-STF、HE-LTFおよびHE-STFの前の部分は20 MHzの帯域幅を使用することによって全て送信される。
【００２６】
ステップ310で言及される狭帯域送信は、20 MHz以下の帯域幅上で実行される送信であることは留意されるべきである。ステップ310で言及されるRUはリソースユニットである。TGaxによって定義されるHE-PPDUにおけるデータ部は256点FFTによって変調される。従って、20 MHzの帯域幅は256個のサブキャリアを含む。20 MHzの帯域幅におけるサブキャリアの分布は図5に示される。20 MHzの帯域幅において、9個の26-tone RU、4個の52-tone RU、2個の106-tone RUまたは1個の242-tone RU等のRU割当て方式が含まれる。
【００２７】
加えて、EXT SUモードにおけるデータ部の送信の信頼性をさらに改善するために、EXT SUモードにおけるプリアンブルのHE-LTFフィールドの送信パワーが増加し得る。具体的には、以下の方式が含まれる。
【００２８】
方式1：拡張範囲モードPPDUにおける高効率ロングトレーニングフィールドHE-LTFのパワーは3 dB増加する。方式1では、局がPPDUを生成するプロセスにおいて、HE-LTFフィールドのパワーはデフォルトで増加し、パワー増加の値は3 dBまたは別の値であってよい。
【００２９】
方式2：拡張範囲モードPPDUにおける高効率シグナリングHE-SIGAフィールドは第1の識別子を含み、第1の識別子は、高効率ロングトレーニングフィールドHE-LTFのパワーが増加したかどうかを示すために使用される。方式2では、第1の識別子は、1つまたは複数のビットによって示されてよい。例えば、HE-SIGAにおける第1の識別子は、HE-LTFのパワーが増加したかどうかを示すために1ビットを搬送する。例えば、0はパワーが増加しないことを示し、1はHE-LTFのパワーが増加したことを示す。加えて、HE-SIGAにおける第1の識別子は複数ビットを搬送し、第1の識別子は、HE-LTFのパワーが増加したかどうかを示すだけでなく、パワー増加の値も示すことができる。実施を容易にするために、HE-LTFのパワーは一様に3 dB増加する。
【００３０】
任意で、実際の実施では、HE-LTFフィールドのパワー増加の値は、LTFのサイズおよび送信帯域幅に拘束され得る。例えば、HE-LTFおよびデータ部の送信帯域幅が52-tone RUである場合、2xLTFのパワーが4 dB増加する。別の例では、HE-LTFおよびデータ部の送信帯域幅が106-tone RUである場合、4xLTFのパワーは3 dB増加する。
【００３１】
任意で、HE-STF部の送信パワーが別々に増加してよい。
【００３２】
前述の方法では、HE-LTFの送信パワーが増加し、その結果、チャネル推定の正確性が改善されることができる。従って、データ部の復調および復号のビットエラー率が低減され、データ部の送信の信頼性が改善される。
【００３３】
具体的には、拡張範囲モードPPDUにおける高効率シグナリングHE-SIGAフィールドは、第2の識別子を含む。第2の識別子は、拡張範囲モードPPDUにおけるデータ部に対して狭帯域送信が実行されるときに使用される帯域幅を示すために使用される。20 MHzの帯域幅において、9個の26-tone RU、4個の52-tone RU、2個の106-tone RUまたは1個の242-tone RU等のRU割当て方式が含まれることが図5からわかる。RUにおけるサブキャリアの具体的な分布方式は表0に示される。
【００３４】
【表１】
2020115643.tif 000003
【００３５】
従って、第2の識別子とRU割当てとの間のマッピング関係は以下の方式を含む。
【００３６】
方式1：第2の識別子は、4 bitsを含み、すなわち、4ビットリソース割当て（Resource Allocation）指示シグナリングが、EXT SUモードのプリアンブルにおけるHE-SIGAフィールドで搬送される。具体的な指示方式は表1に示されることができる。例えば、0000は、この送信において、HE-STF部から始まるフィールドのための帯域幅として左端の26-tone RU 1が割り当てられることを示し、0100は、この送信において、HE-STF部から始まるフィールドのための帯域幅として中間の26-tone RU 5が割り当てられることを示し、1000は、この送信において、HE-STF部から始まるフィールドのための帯域幅として右端の26-tone RU 9が割り当てられることを示す。別の例では、1001は、この送信において、HE-STF部から始まるフィールドのための帯域幅として左端の52-tone RU 1が割り当てられることを示し、1010は、この送信において、HE-STF部から始まるフィールドのための帯域幅として左から数えて2番目の52-tone RU 2が割り当てられることを示し、1000は、この送信において、HE-STF部から始まるフィールドのための帯域幅として右端の52-tone RU 4が割り当てられることを示す。さらなる例では、1101は、この送信において、HE-STF部から始まるフィールドのための帯域幅として左の106-tone RU 1が割り当てられることを示し、1110は、この送信において、HE-STF部から始まるフィールドのための帯域幅として右の106-tone RU 2が割り当てられることを示す。
【００３７】
【表２】
2020115643.tif 000004
【００３８】
任意で、242-tone RUがHE-STF部から始まるフィールドのための送信帯域幅として使用されないことが規定されている場合、1111シグナリングビットは保留（Reserved）ビットとして使用されてよい。
【００３９】
任意で、表1内のシグナリングおよびシグナリングによって示される内容は、別の順序で配列されてよい。例えば、1111から0111は割り当てられる26-tone RUを示し、0110から0011は割り当てられる52-tone RUを示し、0010から0001は割り当てられる106-tone RUを示し、0000は割り当てられる242-tone RUを示す。
【００４０】
方式2：第2の識別子は、3 bitsを含み、すなわち、3ビットリソース割当て（Resource Allocation）指示シグナリングが、EXT SUモードのプリアンブルにおけるHE-SIGAフィールドで搬送される。具体的な指示方式は表2に示されることができる。例えば、000は、この送信において、HE-STF部から始まるフィールドのための帯域幅として左端の52-tone RU 1が割り当てられることを示し、011は、この送信において、HE-STF部から始まるフィールドのための帯域幅として右端の52-tone RU 4が割り当てられることを示す。別の例では、100は、この送信において、HE-STF部から始まるフィールドのための帯域幅として左の106-tone RU 1が割り当てられることを示し、101は、この送信において、HE-STF部から始まるフィールドのための帯域幅として右の106-tone RU 2が割り当てられることを示す。111は保留ビットを示す。
【００４１】
【表３】
2020115643.tif 000005
【００４２】
任意で、242-tone RUがHE-STF部から始まるフィールドのための送信帯域幅として使用されないことが規定されている場合、110シグナリングビットもまた保留（Reserved）ビットとして使用されてよい。
【００４３】
任意で、表2内のシグナリングおよびシグナリングによって示される内容は、別の順序で配列されてよい。
【００４４】
方式3：第2の識別子は、2 bitsを含み、すなわち、2ビットリソース割当て（Resource Allocation）指示シグナリングが、EXT SUモードのプリアンブルにおけるHE-SIGAフィールドで搬送される。具体的な指示方式は表3に示されることができる。例えば、00は、この送信において、HE-STF部から始まるフィールドのための帯域幅として左の106-tone RU 1が割り当てられることを示し、01は、この送信において、HE-STF部から始まるフィールドのための帯域幅として右の106-tone RU 2が割り当てられることを示し、10は、この送信において、HE-STF部から始まるフィールドのための帯域幅として242-tone RU 1が割り当てられることを示し、11は保留ビットを示す。
【００４５】
【表４】
2020115643.tif 000006
【００４６】
任意で、242-tone RUがHE-STF部から始まるフィールドのための送信帯域幅として使用されないことが規定されている場合、1ビットRA指示シグナリングのみが必要とされる。この場合、0は、この送信において、HE-STF部から始まるフィールドのための帯域幅として左の106-tone RU 1が割り当てられることを示し、1は、この送信において、HE-STF部から始まるフィールドのための帯域幅として右の106-tone RU 2が割り当てられることを示す。
【００４７】
任意で、表3内のシグナリングおよびシグナリングによって示される内容は、別の順序で配列されてよい。
【００４８】
方式4：EXT SU PPDUにおいて、HE-STFから始まる部分を送信するために、いくつかの事前に選択されたRUのみが使用される。この例では、新たに定義されたサブキャリア分布が図4に示される。各RUは固有のサイズを有し、直流に近い中間のサブキャリアが使用される。表4は単なる例であり、新たに定義された別のサブキャリア分布表が使用されてよいことは理解されるべきである。例えば、26-tone RUに含まれるサブキャリアは[-14:-2, 2:14]であり、52-tone RUに含まれるサブキャリアは[-27:-2, 2:27]であり、106-tone RUに含まれるサブキャリアは[-56:-2, 2:56]である。
【００４９】
【表５】
2020115643.tif 000007
【００５０】
この場合、合計で4つのタイプのスケジューリング選択がある。従って、2ビットリソース割当て（Resource Allocation）指示シグナリングが、EXT SUモードのプリアンブルにおけるHE-SIGAフィールドで搬送される必要がある。具体的な指示方式は表5に示されることができる。例えば、00は、この送信において、HE-STF部から始まるフィールドのための帯域幅として26-tone RUが割り当てられることを示し、01は、この送信において、HE-STF部から始まるフィールドのための帯域幅として52-tone RUが割り当てられることを示し、10は、この送信において、HE-STF部から始まるフィールドのための帯域幅として106-tone RUが割り当てられることを示し、11は、この送信において、HE-STF部から始まるフィールドのための帯域幅として242-tone RUが割り当てられることを示す。
【００５１】
【表６】
2020115643.tif 000008
【００５２】
任意で、242-tone RUがHE-STF部から始まるフィールドのための送信帯域幅として使用されないことが規定されている場合、11は保留ビットとして使用されてよい。
【００５３】
HE-STF部から始まるフィールドのための送信帯域幅は、52-tone RU、106-tone RUまたは242-tone RUにさらに限定されてよいことは理解されるべきであり、ここで、52-tone RU、106-tone RUおよび242-tone RUは表4に定義される。この場合、2ビットRA指示シグナリングについて、00は52-tone RUを示すために使用されてよく、01は106-tone RUを示すために使用されてよく、10は242-tone RUを示すために使用されてよく、11は保留ビットとして使用されてよい。242-tone RUがHE-STF部から始まるフィールドのための送信帯域幅として使用されないことが規定されている場合、1ビットRA指示シグナリングが使用される。この場合、0は、この送信において、HE-STF部から始まるフィールドのための帯域幅として52-tone RUが割り当てられることを示し、1は、この送信において、HE-STF部から始まるフィールドのための帯域幅として106-tone RUが割り当てられることを示す。
【００５４】
HE-STF部から始まるフィールドのための送信帯域幅は、106-tone RUまたは242-tone RUにさらに限定されてよいことは理解されるべきであり、ここで、106-tone RUおよび242-tone RUは表4に定義される。この場合、1ビットRA指示シグナリングのみが使用され、すなわち、0は、この送信において、HE-STF部から始まるフィールドのための帯域幅として106-tone RUが割り当てられることを示し、1は、この送信において、HE-STF部から始まるフィールドのための帯域幅として242-tone RUが割り当てられることを示す。
【００５５】
任意で、前述のシグナリングおよび前述のシグナリングによって示される内容は、別の順序で配列されてよい。例えば、0は、この送信において、HE-STF部から始まるフィールドのための帯域幅として106-tone RUが割り当てられることを示し、1は、この送信において、HE-STF部から始まるフィールドのための帯域幅として52-tone RUが割り当てられることを示す。別の例では、0は、この送信において、HE-STF部から始まるフィールドのための帯域幅として242-tone RUが割り当てられることを示し、1は、この送信において、HE-STF部から始まるフィールドのための帯域幅として106-tone RUが割り当てられることを示す。
【００５６】
方式5：RUは、HE-LTFフィールドの最小PAPRの原則に従って事前に選択され、事前に選択されたRUは、EXT SU PPDUにおいて、HE-STFから始まる部分を送信するために使用される。表6はHE-LTFフィールドのPAPR分布を示す。各格子の第1の数は、4xLTFに対応するRUのPAPR値を表し、第2の数は、2xLTFに対応するRUのPAPR値を表す。
【００５７】
【表７】
2020115643.tif 000009
【００５８】
この例では、合計で6つのタイプの、比較的小さいPAPRを持つスケジューリング選択が選択され、すなわち、表6におけるグレー背景の部分が選択される。従って、3ビットリソース割当て（Resource Allocation）指示シグナリングが、EXT SUモードのプリアンブルにおけるHE-SIGAフィールドで搬送される必要がある。具体的な指示方式は表7に示されることができる。例えば、000は、この送信において、HE-STF部から始まるフィールドのための帯域幅としてグレー背景の左の26-tone RUが割り当てられることを示し、001は、この送信において、HE-STF部から始まるフィールドのための帯域幅としてグレー背景の右の26-tone RUが割り当てられることを示し、100は、この送信において、HE-STF部から始まるフィールドのための帯域幅としてグレー背景の106-tone RUが割り当てられることを示し、101は、この送信において、HE-STF部から始まるフィールドのための帯域幅としてグレー背景の242-tone RUが割り当てられることを示す。
【００５９】
【表８】
2020115643.tif 000010
【００６０】
任意で、242-tone RUがHE-STF部から始まるフィールドのための送信帯域幅として使用されないことが規定されている場合、101もまた保留ビットとして使用されてよい。
【００６１】
任意で、52-tone RU、106-tone RUおよび242-tone RUのみが使用される場合、2ビットRA指示シグナリングについて、00はグレー背景の左の52-tone RUを示すために使用されてよく、01はグレー背景の右の52-tone RUを示すために使用されてよく、10はグレー背景の106-tone RUを示すために使用されてよく、11は242-tone RUを示すために使用されてよい。242-tone RUがHE-STF部から始まるフィールドのための送信帯域幅として使用されないことが規定されている場合、11は保留ビットとして使用される。
【００６２】
任意で、106-tone RUおよび242-tone RUのみが使用される場合、1ビットRA指示シグナリングのみが必要とされる。この場合、0は、この送信において、HE-STF部から始まるフィールドのための帯域幅として106-tone RUが割り当てられることを示し、1は、この送信において、HE-STF部から始まるフィールドのための帯域幅として242-tone RUが割り当てられることを示す。
【００６３】
任意で、前述のシグナリングおよび前述のシグナリングによって示される内容は、別の順序で配列されてよい。
【００６４】
前述の原則に従って選択されるRUは別のセット内にあってよく、例えば、グレー背景の左の26-tone RU、グレー背景の右の52-tone RU、グレー背景の左の106-tone RUおよび242-tone RUのみが選択されることは理解されるべきである。この場合、2ビットRA指示シグナリングのみが必要とされ、00はグレー背景の左の26-tone RUを示すために使用されてよく、01はグレー背景の右の52-tone RUを示すために使用されてよく、10はグレー背景の左の106-tone RUを示すために使用されてよく、11は242-tone RUを示すために使用されてよい。242-tone RUがHE-STF部から始まるフィールドのための送信帯域幅として使用されないことが規定されている場合、11は保留ビットとして使用される。任意で、52-tone RU、106-tone RUおよび242-tone RUのみが使用される場合、2ビットRA指示シグナリングについて、00はグレー背景の右の52-tone RUを示すために使用されてよく、01はグレー背景の左の106-tone RUを示すために使用されてよく、10は242-tone RUを示すために使用されてよく、11は保留ビットである。242-tone RUがHE-STF部から始まるフィールドのための送信帯域幅として使用されないことが規定されている場合、1ビットRA指示シグナリングのみが必要とされ、0はグレー背景の右の52-tone RUを示し、1はグレー背景の左の106-tone RUを示す。
【００６５】
方式6：事前に選択されるRUは、別の原則、例えば、HE-STFフィールドの最小PAPRの原則に従って選択されてよい。あるいは、事前に選択されるRUは、帯域外漏洩を防止する原理に従って選択されてよく、表0の2つの側に位置する26-tone RU 1、26-tone RU 9、52-tone RU 1および52-tone RU 4は除去されてよく、残りのRUは任意のRUとして選択される。
【００６６】
RUセットはいずれの原則に従っても選択される。セットはN個の利用可能なRUを含むと仮定する。セット内のN個のRUは、RUに含まれるサブキャリアの数およびRUが配置される位置に従ってソートされ、例えば、セット内のN個のRUは、RUに含まれるサブキャリアの数に関して昇順にソートされ、RUが配置される位置に関して左から右にソートされる。次いで、N個の利用可能なRUを順次示すために
【００６７】
【数１】
2020115643.tif 000011
【００６８】
ビットシグナリングが使用され、過度な2k-Nの組合せが保留ビットとして使用されてよい。ここで、
【００６９】
【数２】
2020115643.tif 000012
【００７０】
は切上げを表す。N個の利用可能なRUは、別の規則に従ってソートされてよいことは理解されるべきである。このことは、本発明では限定されない。
【００７１】
任意で、第2の識別子は、データ部が狭帯域を使用することによって送信されるときに使用される帯域幅を示すだけでなく、データ部によって使用される変調および符号化方式MCSも示してよい。例えば、EXT SUモードのプリアンブルにおけるHE-SIGAフィールド内のMCSフィールドは4ビット指示情報を含み、ここで、0000から1010はMCS 0からMCS 9の10個のMCSを示すために使用され、1011から1111は保留ビットの組合せを示す。EXT SUモードのプリアンブルにおけるHE-SIGAフィールドでは、4ビット指示情報が再定義されてよい。例えば、0000は、26-tone RUが使用され、MCS 0が変調および符号化のために使用されることを示し、0001は、52-tone RUが使用され、MCS 0が変調および符号化のために使用されることを示し、0010は、106-tone RUが使用され、MCS 0が変調および符号化のために使用されることを示し、0011は、242-tone RUが使用され、MCS 0が変調および符号化のために使用されることを示し、0100は、26-tone RUが使用され、MCS 1が変調および符号化のために使用されることを示し、0101は、52-tone RUが使用され、MCS 1が変調および符号化のために使用されることを示し、0110は、106-tone RUが使用され、MCS 1が変調および符号化のために使用されることを示し、0111は、242-tone RUが使用され、MCS 1が変調および符号化のために使用されることを示し、1000から1111は保留ビットの組合せを示す。任意で、4ビット指示情報におけるいくつかのビットは、MCSを示すために使用され、いくつかのビットはRU割当てを指示するために使用される。例えば、1ビットはMCS情報を示し、2ビットはRU割当て方式を示し、1ビットは保留される。
【００７２】
任意で、第2の識別子は、データ部が狭帯域を使用することによって送信されるときに使用される帯域幅およびデータ部によって使用される空間フローの数をさらに示してよい。例えば、EXT SUモードのプリアンブルにおけるHE-SIGAフィールド内のNSTSフィールドは3ビット指示情報を含み、ここで、000から111は8個の空間-時間ストリームを示すために使用される。拡張範囲SUモードでは、PPDUによって使用される空間-時間ストリームの数は8未満である。従って、3ビット指示情報は再定義されてよい。いくつかのビットはNSTSを示すために使用され、いくつかのビットはRU割当てを示すために使用される。例えば、1ビットはNSTSを示し、2ビットはRU割当て方式を示す。
【００７３】
送信帯域幅がより大きい場合、帯域幅あたりのエネルギーはより低く、カバレッジエリアはより小さいことは理解されるべきである。好ましくは、比較的大きいカバレッジエリアを実施するために、EXT SU PPDUの最大送信帯域幅は20 MHzに限定されてよく、すなわち、EXT SUモードのプリアンブルにおけるHE-SIGAフィールドで搬送されるBW指示シグナリングはデフォルトで00に設定される。
【００７４】
任意で、送信帯域幅の値は20 MHzよりも大きくてよい。この場合、拡張範囲モードPPDUにおける高効率シグナリングHE-SIGAフィールドに含まれる第5の識別子は、40 MHz/80 MHz/160 MHz/80+80 MHzの帯域幅におけるサブキャリア分布および前述の実施形態における方法に従って生成されてよい。第5の識別子は、拡張範囲モードPPDUにおけるデータ部に対して狭帯域送信が実行されるときに使用される帯域幅を示すために使用される。
【００７５】
任意で、送信帯域幅の値は20 MHzよりも大きくてよい。この場合、拡張範囲モードPPDUにおける高効率シグナリングHE-SIGAフィールドに含まれる第6の識別子は、40 MHz/80 MHz/160 MHz/80+80 MHzの帯域幅におけるサブキャリア分布および前述の実施形態における方法に従って生成されてよい。第6の識別子は、拡張範囲モードPPDUにおけるデータ部に対して反復サブバンド送信が実行されるときに使用される帯域幅を示すために使用される。
【００７６】
任意で、第7の識別子は拡張範囲モードPPDUの高効率シグナリングHE-SIGAフィールドに含まれる。第7の識別子は、受信側のID情報、例えば、受信側のAID（Association ID）、部分AID、STA ID、STA IDの最後の6ビットまたは最初の4ビット等の部分STA IDまたは受信側に関連する任意の他のID情報を示すために使用される。受信側は、第7の識別子を使用することによって、この送信の宛先が受信側であるかどうかを判定してよい。第7の識別子がこの送信の宛先が受信側でないことを示す場合、受信は停止されてよく、デバイスの電力消費は低減される。
【００７７】
本発明の本実施形態は、新しい拡張範囲モード物理層プロトコルデータユニットPPDUを提供する。拡張範囲モードPPDUのレガシープリアンブル部は、20 MHzの帯域幅を使用することによって送信される。拡張範囲モードPPDUのデータ部は、狭帯域を使用することによって送信され、狭帯域送信における帯域幅は、26-tone RU、52-tone RU、106-tone RUまたは242-tone RUのうちの少なくとも1つのパラメータを含む。拡張範囲モードPPDUのデータ部は、狭帯域を使用することによって送信され、その結果、データ部の送信の信頼性は改善され、EXT SUモードにおけるPPDUの部分の性能はよりバランスがとられ、長距離送信のカバレッジエリアは保証される。
【００７８】
実施形態2
【００７９】
本発明の実施形態2は拡張範囲モード送信方法を提供する。方法は、図2内のAPおよびSTA 1からSTA 4等のアクセスポイントおよび局に適用されてよい。アクセスポイントおよび局は、802.11ax標準等の、次世代WLAN標準をサポートしてよい。図8は、送信方法のフローチャートであり、具体的なステップは以下のとおりである。
【００８０】
ステップ810：拡張範囲モード物理層プロトコルデータユニットPPDUを生成し、ここで、拡張範囲SUモードPPDUは、20 MHzの帯域幅を使用することによって送信され、PPDUにおけるデータ部は、同じデータを搬送する複数のサブバンドを含み、サブバンドの帯域幅は、26-tone RU、52-tone RU、106-tone RUまたは242-tone RUのうちの少なくとも1つのパラメータを含む。
【００８１】
ステップ820：拡張範囲SUモードPPDUを送信する。
【００８２】
前述の方法では、PPDUのデータ部は、繰り返し送信される。これは、データ部の送信の信頼性を改善し、その結果、EXT SUモードにおけるPPDUの部分の性能はよりバランスがとられ、長距離送信のカバレッジエリアは保証される。
【００８３】
具体的には、拡張範囲モードPPDUの構成図が図9に示される。拡張範囲モードPPDUにおける高効率ショートトレーニングフィールドHE-STFによって使用されるサブキャリアおよび高効率ロングトレーニングフィールドHE-LTFによって使用されるサブキャリアは、拡張範囲モードPPDUのデータ部によって使用されるサブキャリアと同じである。任意で、HE-STFフィールドは、20 MHzの帯域幅を使用することによって送信されてよく、HE-LTF部によって使用されるサブキャリアのみが、拡張範囲モードPPDUにおけるデータ部によって使用されるサブキャリアと同じである。任意で、図10に示されるように、HE-STFおよびHE-LTFは、20 MHzの帯域幅を使用することによって送信されてよく、EXT-SU-DATA部のみに対して反復サブバンド送信が実行される。
【００８４】
EXT SUモードにおけるデータ部の送信の信頼性をさらに改善するために、EXT SUモードのプリアンブルにおけるHE-LTFフィールドの送信パワーが増加し得る。具体的には、以下の方式が含まれる。
【００８５】
方式1：拡張範囲SUモードPPDUにおける高効率ロングトレーニングフィールドHE-LTFのパワーは3 dB増加する。方式1では、局がPPDUを生成するプロセスにおいて、HE-LTFフィールドのパワーはデフォルトで増加し、パワー増加の値は3 dBまたは別の値であってよい。
【００８６】
方式2：拡張範囲モードPPDUにおける高効率シグナリングHE-SIGAフィールドは第3の識別子を含み、第3の識別子は、高効率ロングトレーニングフィールドHE-LTFのパワーが増加したかどうかを示すために使用される。方式2では、第3の識別子は、1つまたは複数のビットによって示されてよい。例えば、HE-SIGAにおける第3の識別子は、HE-LTFのパワーが増加したかどうかを示すために1ビットを搬送する。例えば、0はパワーが増加しないことを示し、1はHE-LTFのパワーが増加したことを示す。加えて、HE-SIGAにおける第3の識別子は複数ビットを搬送し、第3の識別子は、HE-LTFのパワーが増加したかどうかを示すだけでなく、パワー増加の値も示すことができる。実施を容易にするために、好ましくは、HE-LTFのパワーは一様に3 dB増加する。
【００８７】
任意で、実際の実施では、HE-LTFフィールドのパワー増加の値は、LTFのサイズおよび送信帯域幅に拘束され得る。例えば、HE-LTFおよびデータ部の送信帯域幅が52-tone RUである場合、2xLTFのパワーが4 dB増加する。別の例では、HE-LTFおよびデータ部の送信帯域幅が106-tone RUである場合、4xLTFのパワーは3 dB増加する。
【００８８】
任意で、HE-STF部の送信パワーが別々に増加してよい。
【００８９】
前述の方法では、HE-LTFの送信パワーが増加し、その結果、チャネル推定の正確性が改善されることができる。従って、データ部の復調および復号のビットエラー率が低減され、データ部の送信の信頼性が改善される。
【００９０】
具体的には、ステップ810におけるPPDUのデータ部は、同じデータを搬送する複数のサブバンドを含む。具体的な説明は以下のとおりである：EXT PPDUにおけるデータ部は、反復周波数領域送信の方式で送信される。例えば、106-tone RUが選択される場合、20 MHzの帯域幅における2個の106-tone RUは同じデータ情報を搬送し、すなわち、データ情報は2回繰り返し送信される。別の例では、52-tone RUが選択される場合、表2における20 MHzの帯域幅における4個の52-tone RUは同じデータ情報を搬送し、すなわち、データ情報は4回繰り返し送信される。さらなる例では、26-tone RUが選択される場合、表2における20 MHzの帯域幅における9個の26-tone RUは同じデータ情報を搬送し、すなわち、データ情報は9回繰り返し送信される。
【００９１】
任意で、拡張範囲モードPPDUにおける高効率シグナリングHE-SIGAフィールドは第4の識別子を含み、第4の識別子はサブバンドの帯域幅を示すために使用される。具体的には、第4の識別子とサブバンドの帯域幅との間のマッピング関係は以下の方式を含む。
【００９２】
方式1：2ビットの第4の識別子は、EXT SUモードにおけるプリアンブルのHE-SIGAフィールドで搬送される。例えば、00はデータ部が26-tone RUを使用することによって9回繰り返し送信されることを示し、01はデータ部が52-tone RUを使用することによって4回繰り返し送信されることを示し、10はデータ部が106-tone RUを使用することによって2回繰り返し送信されることを示し、11はデータ部が242-tone RUを使用することによって送信されることを示す。242-tone RUがHE-STF部から始まるフィールドのための送信帯域幅として使用されないことが規定されている場合、11は保留ビットとして使用される。
【００９３】
26-tone RUが選択されるとき、同じデータ情報は、20 MHzの帯域幅における中間の26-tone RUではない他の8個の26-tone RU上で搬送されてよく、すなわち、データ情報は8回繰り返し送信される。
【００９４】
方式2：2ビットの第4の識別子は、EXT SUモードのプリアンブルにおけるHE-SIGAフィールドで搬送される。例えば、52-tone RU、106-tone RUおよび242-tone RUのみが使用される場合、00はデータ部が52-tone RUを使用することによって4回繰り返し送信されることを示し、01はデータ部が106-tone RUを使用することによって2回繰り返し送信されることを示し、10はデータ部が242-tone RUを使用することによって送信されることを示し、11は保留ビットとして使用される。
【００９５】
方式3：1ビットの第4の識別子は、EXT SUモードのプリアンブルにおけるHE-SIGAフィールドで搬送される。例えば、52-tone RUおよび106-tone RUのみが使用される場合、0はデータ部が52-tone RUを使用することによって4回繰り返し送信されることを示し、1はデータ部が106-tone RUを使用することによって2回繰り返し送信されることを示す。
【００９６】
方式4：1ビットの第4の識別子は、EXT SUモードのプリアンブルにおけるHE-SIGAフィールドで搬送される。例えば、106-tone RUおよび242-tone RUのみが使用される場合、0はデータ部が106-tone RUを使用することによって2回繰り返し送信されることを示し、1はデータ部が242-tone RUを使用することによって送信されることを示す。
【００９７】
任意で、第4の識別子は、サブバンドの帯域幅およびデータ部によって使用される変調および符号化方式MCSをさらに示してよい。任意で、第4の識別子に含まれる4ビット指示情報では、いくつかのビットがMCSを示すために使用され、いくつかのビットがRU割当てを示すために使用される。例えば、2つのビットはMCS情報を示し、2つのビットはサブバンドの帯域幅を示す。
【００９８】
任意で、第4の識別子は、サブバンドの帯域幅およびデータ部によって使用される空間フローの数をさらに示してよい。例えば、第4の識別子に含まれる3ビット情報では、いくつかのビットが空間-時間ストリームの数を示すために使用され、いくつかのビットがRU割当てを示すために使用される。例えば、1つのビットはNSTSを示し、2つのビットはサブバンドの帯域幅を示す。
【００９９】
本発明の本実施形態は、新しい拡張範囲モード物理層プロトコルデータユニットPPDUを提供する。拡張範囲モードPPDUは、20 MHzの帯域幅を使用することによって送信される。PPDUにおけるデータ部は、同じデータを搬送する複数のサブバンドを含み、サブバンドの帯域幅は、26-tone RU、52-tone RU、106-tone RUまたは242-tone RUのうちの少なくとも1つのパラメータを含む。帯域幅における反復送信はデータ部の送信の信頼性を改善することができ、その結果、EXT SUモードにおけるPPDUの部分の性能はよりバランスがとられ、長距離送信のカバレッジエリアは保証される。
【０１００】
実施形態3
【０１０１】
図11を参照すると、図11は、本発明の実施形態に係る、無線ローカルエリアネットワークにおける拡張範囲SUモード物理層プロトコルデータユニットPPDU送信装置の概略ブロック図である。例えば、送信装置はアクセスポイントまたは局、または関連機能を実施する専用回路またはチップである。送信装置1000は、プロセッサ1010、メモリ1020、ベースバンド回路1030、無線周波数回路1040およびアンテナ1050を含む。送信装置は、図2に示されるAPまたはSTAであってよい。
【０１０２】
具体的には、プロセッサ1010は送信装置1000の動作を制御する。メモリ1020は、読出し専用メモリおよびランダムアクセスメモリを含み、プロセッサ1010のために命令およびデータを提供してよい。プロセッサは、汎用プロセッサ、デジタル信号プロセッサ、特定用途向け集積回路、フィールドプログラマブルゲートアレイまたは別のプログラマブル論理デバイスであってよい。メモリ1020の一部は、不揮発性ランダムアクセスメモリ（NVRAM）をさらに含んでよい。ベースバンド回路1030は、送信されるべきベースバンド信号を合成し、または受信されるベースバンド信号を復号するように構成される。無線周波数回路1040は、低周波数ベースバンド信号を高周波数キャリア信号に変調するように構成され、高周波数キャリア信号はアンテナ1050を使用することによって送信される。無線周波数回路はまた、アンテナ1050によって受信された高周波数信号を低周波数キャリア信号に復調するように構成される。送信装置1000の構成要素は、バス1060を使用することによって互いに結合される。データバスに加えて、バス1060は、電源バス、制御バスおよび状態信号バスをさらに含む。しかしながら、明確な説明のために、図中の様々なタイプのバスがバス1060としてマークされる。送信装置に関する前述の説明は、後続の実施形態に適用され得ることは留意されるべきである。
【０１０３】
ベースバンド回路1030は、拡張範囲モード物理層プロトコルデータユニットPPDUを生成するように構成される。拡張範囲モードPPDUにおけるレガシープリアンブル部は、20 MHzの帯域幅を使用することによって送信され、拡張範囲モードPPDUにおけるデータ部は、狭帯域を使用することによって送信され、狭帯域送信における帯域幅は、26-tone RU、52-tone RU、106-tone RUまたは242-tone RUのうちの少なくとも1つのパラメータを含む。
【０１０４】
無線周波数回路1040は、拡張範囲モードPPDUを送信するように構成される。
【０１０５】
加えて、EXT SUモードにおけるデータ部の送信の信頼性をさらに改善するために、EXT SUモードのプリアンブルにおけるHE-LTFフィールドの送信パワーは増加し得る。具体的には、以下の方式が含まれる。
【０１０６】
方式1：拡張範囲モードPPDUにおける高効率ロングトレーニングフィールドHE-LTFのパワーは3 dB増加する。
【０１０７】
方式2：拡張範囲モードPPDUにおける高効率シグナリングHE-SIGAフィールドは第1の識別子を含み、第1の識別子は、高効率ロングトレーニングフィールドHE-LTFのパワーが増加したかどうかを示すために使用される。
【０１０８】
HE-LTFフィールドの送信パワーを増加させる2つの方式の具体的な設計は、実施形態1で詳細に説明されていることは留意されるべきである。詳細は繰り返し説明されない。
【０１０９】
任意で、拡張範囲モードPPDUにおける高効率シグナリングHE-SIGAフィールドは第2の識別子を含み、第2の識別子は、拡張範囲モードPPDUにおけるデータ部に対して狭帯域送信が実行されるときに使用される帯域幅を示すために使用される。
【０１１０】
第2の識別子と狭帯域帯域幅との間のマッピング関係は実施形態1で詳細に説明されていることは留意されるべきである。詳細は繰り返し説明されない。
【０１１１】
任意で、拡張範囲モードPPDUにおける高効率ショートトレーニングフィールドHE-STFによって使用されるサブキャリアおよび高効率ロングトレーニングフィールドHE-LTFによって使用されるサブキャリアが、拡張範囲モードPPDUにおけるデータ部によって使用されるサブキャリアと同じである。
【０１１２】
任意で、図6に示されるように、狭帯域を使用することによって送信されるPPDUにおけるフィールドは、HE-LTF部から始まってよく、すなわち、HE-STFおよびHE-STF の前の部分は20 MHzの帯域幅を使用することによって全て送信される。
【０１１３】
任意で、図7に示されるように、狭帯域を使用することによって送信されるPPDUにおけるフィールドは、EXT-SUデータ部から始まってよく、すなわち、HE-STF、HE-LTFおよびHE-STFの前の部分は20 MHzの帯域幅を使用することによって全て送信される。
【０１１４】
本発明の本実施形態は、新しい拡張範囲モード物理層プロトコルデータユニットPPDUを生成および送信するように構成される、送信装置を提供する。拡張範囲モードPPDUのレガシープリアンブル部は、20 MHzの帯域幅を使用することによって送信される。拡張範囲モードPPDUのデータ部は、狭帯域を使用することによって送信され、狭帯域送信における帯域幅は、26-tone RU、52-tone RU、106-tone RUまたは242-tone RUのうちの少なくとも1つのパラメータを含む。前述の方法では、拡張範囲モードPPDUのデータ部は、狭帯域を使用することによって送信され、その結果、データ部の送信の信頼性は改善され、EXT SUモードのPPDUにおける部分の性能はよりバランスがとられ、長距離送信のカバレッジエリアは保証される。
【０１１５】
実施形態4
【０１１６】
図12を参照すると、図12は、本発明の実施形態に係る、無線ローカルエリアネットワークにおける拡張範囲モード送信装置の概略ブロック図である。例えば、送信装置はアクセスポイントまたは局、または関連機能を実施する専用回路またはチップである。送信装置1100は、プロセッサ1110、メモリ1120、ベースバンド回路1130、無線周波数回路1140およびアンテナ1150を含む。送信装置は、図2に示されるAPまたはSTAであってよい。送信装置1100の構成要素は実施形態3で詳細に説明されていることは留意されるべきである。詳細は繰り返し説明されない。
【０１１７】
ベースバンド回路1130は、拡張範囲モード物理層プロトコルデータユニットPPDUを生成するように構成される。拡張範囲モードPPDUは、20 MHzの帯域幅を使用することによって送信される。PPDUにおけるデータ部は、同じデータを搬送する複数のサブバンドを含み、サブバンドの帯域幅は、26-tone RU、52-tone RU、106-tone RUまたは242-tone RUのうちの少なくとも1つのパラメータを含む。
【０１１８】
無線周波数回路1140は、拡張範囲モードPPDUを送信するように構成される。
【０１１９】
前述の方法では、PPDUのデータ部は、繰り返し送信される。これは、データ部の送信の信頼性を改善し、その結果、EXT SUモードのPPDUにおける部分の性能はよりバランスがとられ、長距離送信のカバレッジエリアは保証される。
【０１２０】
EXT SUモードにおけるデータ部の送信の信頼性をさらに改善するために、EXT SUモードのプリアンブルにおけるHE-LTFフィールドの送信パワーが増加し得る。具体的には、以下の方式が含まれる。
【０１２１】
方式1：拡張範囲モードPPDUにおける高効率ロングトレーニングフィールドHE-LTFのパワーは3 dB増加する。
【０１２２】
方式2：拡張範囲モードPPDUにおける高効率シグナリングHE-SIGAフィールドは第3の識別子を含み、第3の識別子は、パワーが増加したかどうかを示すために使用される。
【０１２３】
HE-LTFフィールドの送信パワーを増加させる2つの方式の具体的な設計は、実施形態1で詳細に説明されていることは留意されるべきである。詳細は繰り返し説明されない。
【０１２４】
任意で、拡張範囲モードPPDUにおける高効率シグナリングHE-SIGAフィールドは第4の識別子を含み、第4の識別子は、サブバンドの帯域幅を示すために使用される。
【０１２５】
第4の識別子とサブバンドの帯域幅との間のマッピング関係は実施形態2で詳細に説明されていることは留意されるべきである。詳細は繰り返し説明されない。
【０１２６】
任意で、拡張範囲モードPPDUにおける高効率ショートトレーニングフィールドHE-STFによって使用されるサブキャリアおよび高効率ロングトレーニングフィールドHE-LTFによって使用されるサブキャリアは、拡張範囲モードPPDUのデータ部によって使用されるサブキャリアと同じである。任意で、HE-STFフィールドは、20 MHzの帯域幅を使用することによって送信されてよく、HE-LTF部によって使用されるサブキャリアのみが、拡張範囲モードPPDUにおけるデータ部によって使用されるサブキャリアと同じである。任意で、図10に示されるように、HE-STFおよびHE-LTFは、20 MHzの帯域幅を使用することによって送信されてよく、EXT-SU-DATA部のみに対して反復サブバンド送信が実行される。
【０１２７】
本発明の本実施形態は、新しい拡張範囲SUモード物理層プロトコルデータユニットPPDUを生成および送信するように構成される送信装置を提供する。拡張範囲モードPPDUは、20 MHzの帯域幅を使用することによって送信される。PPDUにおけるデータ部は、同じデータを搬送する複数のサブバンドを含み、サブバンドの帯域幅は、26-tone RU、52-tone RU、 106-tone RUまたは242-tone RUのうちの少なくとも1つのパラメータを含む。帯域幅における繰返しの送信はデータ部の送信の信頼性を改善することができ、その結果、EXT SUモードにおけるPPDUの部分の性能はよりバランスがとられ、長距離送信のカバレッジエリアは保証される。
【０１２８】
前述の実施形態は単に、本発明の技術的解決手段を説明するために意図され、本発明を限定するためには意図されていない。本発明は、前述の実施形態を参照して詳細に説明されているが、当業者は、本発明の実施形態の技術的解決手段の範囲を逸脱することなく、前述の実施形態に記載されている技術的解決手段に対して変更をさらに行うか、または、そのいくつかの技術的特徴に均等置換をさらに行い得ることを理解すべきである。
【符号の説明】
【０１２９】
1010  プロセッサ
1020  メモリ
1030  ベースバンド回路
1040  無線周波数回路
1050  アンテナ
1060  バス
1110  プロセッサ
1120  メモリ
1130  ベースバンド回路
1140  無線周波数回路
1150  アンテナ
1160  バス
【図１】
2020115643.tif 000013
【図２】
2020115643.tif 000014
【図３】
2020115643.tif 000015
【図４】
2020115643.tif 000016
【図５】
2020115643.tif 000017
【図６】
2020115643.tif 000018
【図７】
2020115643.tif 000019
【図８】
2020115643.tif 000020
【図９】
2020115643.tif 000021
【図１０】
2020115643.tif 000022
【図１１】
2020115643.tif 000023
【図１２】
2020115643.tif 000024
【手続補正書】
【提出日】令和2年4月10日(2020.4.10)
【手続補正１】
【補正対象書類名】特許請求の範囲
【補正対象項目名】全文
【補正方法】変更
【補正の内容】
【特許請求の範囲】
【請求項１】
無線ローカルエリアネットワークWLANに適用される、拡張範囲シングルユーザモード物理層プロトコルデータユニット送信方法であって、前記方法は、
拡張範囲シングルユーザモード物理層プロトコルデータユニットを解析するステップであって、前記拡張範囲シングルユーザモード物理層プロトコルデータユニットの高効率シグナリングAフィールドは識別子を含み、前記識別子は、前記拡張範囲シングルユーザモード物理層プロトコルデータユニットのデータ部を送信するために使用される狭帯域の帯域幅を示すために使用され、前記狭帯域の前記帯域幅は、26-tone RU、52-tone RU、106-tone RUまたは242-tone RUのうちの少なくとも1つのパラメータを含む、ステップと、
前記狭帯域の前記帯域幅上で、前記拡張範囲シングルユーザモード物理層プロトコルデータユニットを受信するステップとを含む方法。
【請求項２】
前記拡張範囲シングルユーザモード物理層プロトコルデータユニットのレガシープリアンブル部は、20 MHzの帯域幅上で受信される、請求項1に記載の方法。
【請求項３】
前記識別子は2ビットを含み、前記2ビットの値0は、前記データ部を送信するために使用される前記狭帯域として前記242-tone RUが割り当てられることを示し、前記2ビットの値1は、前記データ部を送信するために使用される前記狭帯域として前記106-tone RUが割り当てられることを示す、請求項1または2に記載の方法。
【請求項４】
前記拡張範囲シングルユーザモード物理層プロトコルデータユニットは、高効率プリアンブル部を含み、前記高効率プリアンブル部は、反復レガシーシグナリングフィールド、前記高効率シグナリングAフィールド（HE-SIGA field）、高効率ショートトレーニングフィールドおよび高効率ロングトレーニングフィールドを含む、請求項1乃至3のいずれか1項に記載の方法。
【請求項５】
前記高効率プリアンブル部は、レガシープリアンブル部と前記データ部との間に配置される、請求項4に記載の方法。
【請求項６】
前記反復レガシーシグナリングフィールドおよび前記高効率シグナリングAフィールドは、20 MHzの前記帯域幅を使用することによって送信され、前記高効率ショートトレーニングフィールドおよび前記高効率ロングトレーニングフィールドは、前記データ部を送信するために使用される前記狭帯域の前記帯域幅を使用することによって送信される、請求項4または請求項5に記載の方法。
【請求項７】
前記高効率ロングトレーニングフィールドの送信パワーは3 dB増加する、請求項4乃至6のいずれか1項に記載の方法。
【請求項８】
前記高効率ショートトレーニングフィールドの送信パワーは増加する、請求項4乃至7のいずれか1項に記載の方法。
【請求項９】
無線ローカルエリアネットワークに適用される、拡張範囲シングルユーザモード物理層プロトコルデータユニット送信装置であって、前記装置は、
拡張範囲シングルユーザモード物理層プロトコルデータユニットを解析するように構成される解析回路であって、前記拡張範囲シングルユーザモード物理層プロトコルデータユニットの高効率シグナリングAフィールドは識別子を含み、前記識別子は、前記拡張範囲シングルユーザモード物理層プロトコルデータユニットのデータ部を送信するために使用される狭帯域の帯域幅を示すために使用され、前記狭帯域の前記帯域幅は、26-tone RU、52-tone RU、106-tone RUまたは242-tone RUのうちの少なくとも1つのパラメータを含む、解析回路と、
前記拡張範囲シングルユーザモード物理層プロトコルデータユニットを受信するように構成される無線周波数回路であって、前記拡張範囲シングルユーザモード物理層プロトコルデータユニットの前記データ部は、前記狭帯域の前記帯域幅を使用することによって送信される、無線周波数回路とを含む装置。
【請求項１０】
前記無線周波数回路は前記拡張範囲シングルユーザモード物理層プロトコルデータユニットを受信するように構成され、前記拡張範囲シングルユーザモード物理層プロトコルデータユニットのレガシープリアンブル部は、20 MHzの帯域幅上で受信される、請求項9に記載の装置。
【請求項１１】
前記識別子は2ビットを含み、前記2ビットの値0は、前記データ部を送信するために使用される前記狭帯域として前記242-tone RUが割り当てられることを示し、前記2ビットの値1は、前記データ部を送信するために使用される前記狭帯域として前記106-tone RUが割り当てられることを示す、請求項9または10に記載の装置。
【請求項１２】
前記拡張範囲シングルユーザモード物理層プロトコルデータユニットは、高効率プリアンブル部を含み、前記高効率プリアンブル部は、反復レガシーシグナリングフィールド、前記高効率シグナリングAフィールド、高効率ショートトレーニングフィールドおよび高効率ロングトレーニングフィールドを含む、請求項9乃至11のいずれか1項に記載の装置。
【請求項１３】
前記高効率プリアンブル部は、レガシープリアンブル部と前記データ部との間に配置される、請求項12に記載の装置。
【請求項１４】
前記反復レガシーシグナリングフィールドおよび前記高効率シグナリングAフィールドは、20 MHzの前記帯域幅を使用することによって送信され、前記高効率ショートトレーニングフィールドおよび前記高効率ロングトレーニングフィールドは、前記データ部を送信するために使用される前記狭帯域の前記帯域幅を使用することによって送信される、請求項12または請求項13に記載の装置。
【請求項１５】
前記高効率ロングトレーニングフィールドの送信パワーは3 dB増加する、請求項12乃至14のいずれか1項に記載の装置。
【請求項１６】
前記高効率ショートトレーニングフィールドの送信パワーは増加する、請求項12乃至15のいずれか1項に記載の装置。
【請求項１７】
コンピュータに請求項1乃至8のいずれか1項の前記方法を実行させるプログラム。
【請求項１８】
プログラムが記録されるコンピュータ可読記録媒体であって、前記プログラムは、実行されると、前記コンピュータに請求項1乃至8のいずれか1項の前記方法を実行させる、コンピュータ可読記録媒体。
【外国語明細書】
2020115643000001.pdf